(57)【要約】【課題】簡易な構成で、インターネット上の情報提供サーバから提供されるリアルタイムな情報を電話端末の表示部に表示可能なコンテンツ表示装置を得る。【解決手段】複数の電話端末を配下に備えた主装置と、該主装置にコンテンツを配信するコンテンツ配信サーバとを有するコンテンツ表示装置であって、コンテンツ配信サーバ３０は、ＷＥＢサーバから受信したデータをテキスト情報に変換するコンテンツ変換部を有し、主装置２０は取得したコンテンツ情報を編集するコンテンツ表示制御部と、どの電話端末からのコンテンツ取得要求であるかを解析すると共に、編集されたコンテンツ情報を配信する伝送制御部と、コンテンツ配信サーバの所在とコンテンツ情報を得るに際して必要なパラメータ数（パラメータなしを含む）のコンテンツ要求情報を記憶する記憶部を備え、電話端末は、表示部に表示された複数のコンテンツ目次及びパラメータ確定のためのボタン部を有する。【選択図】図１
2010034835.tif 000002
【特許請求の範囲】
【請求項１】
コンテンツを表示するための表示部を有した少なくとも一つの電話端末を配下に備えた主装置と、該主装置にコンテンツを配信するコンテンツ配信サーバとを有するコンテンツ表示装置であって、
前記コンテンツ配信サーバは、
インターネット上又はＬＡＮ上の複数のＷＥＢサーバとの間でＨＴＴＰを用いて情報交換するＨＴＴＰクライアント部と、
前記ＨＴＴＰクライアント部を介して前記ＷＥＢサーバから受信したデータを前記主装置及び電話端末が解釈できる書式であるテキスト情報に変換するコンテンツ変換部と、
前記主装置との間でＨＴＴＰを用いて情報交換するＨＴＴＰサーバ部と、
を備え、
前記主装置は、
前記コンテンツ配信サーバとの間でＨＴＴＰを用いてコンテンツ取得及びコンテンツ配信の情報を交換するとともに、コンテンツ配信サーバから取得したコンテンツを各電話端末の表示部に対して適した表示となるように編集するコンテンツ表示制御部と、
どの電話端末からのコンテンツ取得要求であるかを解析するとともに、前記コンテンツ表示制御部で編集された各電話端末の表示部に適したコンテンツ情報を配信する伝送制御部と、
前記テキスト情報を配信するコンテンツ配信サーバの所在と該コンテンツ配信サーバからコンテンツ情報を得るに際して必要なパラメータ数（パラメータがゼロである場合も含む）とを含むコンテンツ要求情報を記憶する記憶部とを備え、
前記電話端末は、
前記伝送制御部からのコンテンツ情報に関する複数のコンテンツ目次及びパラメータ入力窓を前記表示部に表示し、
このコンテンツ目次及びパラメータ入力窓に対応した表示部の近傍位置にコンテンツ目次選択及びパラメータ確定のためのボタン部を設けた
ことを特徴とするコンテンツ表示装置。
【請求項２】
前記主装置は、直前複数回に選択されたパラメータを記憶する選択パラメータ記憶部を有し、
前記表示部は、パラメータ入力窓を表示する時に、直前複数回で選択されたパラメータを同時に表示して成る請求項１に記載のコンテンツ表示装置。
【請求項３】
前記主装置において、前記コンテンツ配信サーバからコンテンツ情報を得るに際して必要なパラメータ数がゼロである場合に、
前記電話端末は、前記主装置から送られてきたテキスト情報を内部に蓄積し、蓄積した情報を繰り返し自走形式で表示する機能を有して成る請求項１に記載のコンテンツ表示装置。
【請求項４】
前記主装置は、一定間隔で前記コンテンツ配信サーバに対してテキスト情報の取得要求を行なう機能を有して成る請求項３に記載のコンテンツ表示装置。
【請求項５】
コンテンツを表示するための表示部を有した少なくとも一つの電話端末を配下に備えた主装置と、該主装置にコンテンツ情報を配信するコンテンツ配信サーバとを有し、コンテンツ配信サーバがＷＥＢサーバから得たコンテンツ情報を電話端末の表示部に表示するコンテンツ表示方法であって、
前記主装置は、前記コンテンツ配信サーバの所在と該コンテンツ配信サーバからコンテンツ情報を得るに際して必要なパラメータ数（パラメータがゼロである場合も含む）をコンテンツ要求情報として記憶する一方、
コンテンツ情報を要求する電話端末において、コンテンツ目次を選択し、選択されたコンテンツ目次の情報を得るに際して必要なパラメータを順次入力し、コンテンツ情報を得るに際して必要なパラメータが全て入力された場合（パラメータがゼロである場合は入力パラメータはなし）に、
主装置において記録された前記選択されたコンテンツ目次及び必要なパラメータ全てが確定したコンテンツ要求情報をコンテンツ配信サーバへ出力し、
前記コンテンツ要求情報を受けたコンテンツ配信サーバがＷＥＢサーバから得たコンテンツ情報をテキスト情報に変換し、主装置を介してコンテンツ情報を要求した電話端末の表示部に表示する
ことを特徴とするコンテンツ表示方法。
【発明の詳細な説明】
【技術分野】
【０００１】
本発明は、インターネット上で提供される情報に対して、パーソナル・コンピュータのような特別な装置を使用することなく、ＷＥＢコンテンツのテキスト情報について、主装置の配下の電話端末に表示可能とするコンテンツ表示装置及びコンテンツ表示方法に関する。
【背景技術】
【０００２】
例えば事業者内で使用される構内交換システムは、電話機をＰＢＸ（Private Branch Exchange）又は主装置に電話端末（内線端末）として備え、これらの電話端末と公衆網等の外部通信網との間及び電話端末相互間をＰＢＸ又は主装置により交換接続して通話を可能にしている。この種のシステムにおいては、発信先や着信先を表示する表示部としての液晶ディスプレイ（ＬＣＤ）を備えた電話機が電話端末として使用されている。
【０００３】
このような構内交換システムでは、電話端末の表示部に表示される情報は、発信先や発信元の電話番号、時間及び動作状況に関する情報等といったシステム内特有な情報が主であり、インターネット上のホームページ等へアクセスし、外部から情報を得るようなものではなかった。
【発明の開示】
【発明が解決しようとする課題】
【０００４】
そこで、インターネット上の情報提供サーバから提供されるリアルタイムな情報を電話端末の表示部（ＬＣＤ）に表示するようにしたデジタル交換装置及び情報提供システムが特許文献１に提案されている。
このデジタル交換装置は、表示部を有した電話端末を収容するとともに、所定のリアルタイム情報を提供するサーバ装置に対し所定の通信ネットワークを介して接続されるデジタル交換装置であって、次の各構成を含むものである。
通信ネットワークを介してサーバ装置に対し定期的にリアルタイム情報の取得要求を送出する取得要求送出手段。
取得要求の送出に対しサーバ装置から通信ネットワークを介して送られたリアルタイム情報を受信するリアルタイム情報受信手段。
このリアルタイム情報受信手段により受信されたリアルタイム情報を電話端末で使用可能なフォーマットに変換するフォーマット変換手段。
このフォーマット変換手段により変換されたリアルタイム情報を記憶するリアルタイム情報記憶手段。
このリアルタイム情報記憶手段により記憶されたリアルタイム情報を電話端末に送出して表示部に表示させるリアルタイム情報表示処理手段。
【０００５】
上記構成によれば、サーバ装置から提供されるリアルタイム情報は、定期的に取得要求をサーバ装置へ送出することで、通信ネットワークを介して自動的に取得されることになる。このリアルタイム情報は電話端末で表示可能なフォーマットに変換されてデジタル交換装置のメモリに蓄積される。そして、メモリに蓄積されたリアルタイム情報が電話端末に伝送されて表示部に表示される。
【０００６】
従って、ユーザは通信ネットワーク上のサーバ装置に対してアクセスする操作を一切行う必要がなく、サーバ装置が提供するリアルタイム情報を常にタイムリーに取得することができる。また、サーバ装置から通信ネットワークを介して到来するリアルタイム情報は、電話端末用にフォーマット変換された後、電話端末に送出されることになる。このため、電話端末の処理負荷は低く抑えられるとともに、リアルタイム情報取得のために新たな通信インフラを構築する必要がなく、安価に実施できる。
【特許文献１】特開２００３−７００３６
【０００７】
しかしながら、上記装置によると、ユーザは通信ネットワーク上のサーバ装置に対してアクセスする操作を一切行う必要がなく、サーバ装置が提供するリアルタイム情報を常にタイムリーに取得することができるという反面、ユーザが必要とする情報を必要とする時間に取得する構成ではないため、ユーザが得たい各種の情報をユーザが選択することができないという問題点があった。
【０００８】
すなわち、パーソナル・コンピュータを必要としない簡易な構成で、パーソナル・コンピュータを用いたデータ通信系のように、インターネット上の情報提供サーバからユーザが選択した必要な情報を取得するに際して、情報閲覧時の操作性の向上や利便性が確保できるシステムが望まれていた。
【０００９】
本発明は上記実情に鑑みて提案されたもので、簡易な構成で、インターネット上の情報提供サーバから提供されるリアルタイムな情報をユーザの選択により電話端末の表示部に操作性良く表示し得るコンテンツ表示装置及びコンテンツ表示方法を提供することを目的としている。
【課題を解決するための手段】
【００１０】
上記目的を達成するため本発明は、コンテンツを表示するための表示部を有した少なくとも一つの電話端末を配下に備えた主装置と、該主装置にコンテンツを配信するコンテンツ配信サーバとを有するコンテンツ表示装置であって、次の各構成を含むことを第１の特徴としている。
前記コンテンツ配信サーバは、
インターネット上又はＬＡＮ上の複数のＷＥＢサーバとの間でＨＴＴＰを用いて情報交換するＨＴＴＰクライアント部と、
前記ＨＴＴＰクライアント部を介して前記ＷＥＢサーバから受信したデータを前記主装置及び電話端末が解釈できる書式であるテキスト情報に変換するコンテンツ変換部と、
前記主装置との間でＨＴＴＰを用いて情報交換するＨＴＴＰサーバ部と
を備えている。
前記主装置は、
前記コンテンツ配信サーバとの間でＨＴＴＰを用いてコンテンツ取得及びコンテンツ配信の情報を交換するとともに、コンテンツ配信サーバから取得したコンテンツを各電話端末の表示部に対して適した表示となるように編集するコンテンツ表示制御部と、
どの電話端末からのコンテンツ取得要求であるかを解析するとともに、前記コンテンツ表示制御部で編集された各電話端末の表示部に適したコンテンツ情報を配信する伝送制御部と、
前記テキスト情報を配信するコンテンツ配信サーバの所在と該コンテンツ配信サーバからコンテンツ情報を得るに際して必要なパラメータ数（パラメータがゼロである場合も含む）とを含むコンテンツ要求情報を記憶する記憶部と
を備えている。
前記電話端末は、
前記伝送制御部からのコンテンツ情報に関する複数のコンテンツ目次及びパラメータ入力窓を前記表示部に表示し、
このコンテンツ目次及びパラメータ入力窓に対応した表示部の近傍位置にコンテンツ目次選択及びパラメータ確定のためのボタン部を設けている。
【００１１】
請求項２は、請求項１のコンテンツ表示装置において、
前記主装置は、直前複数回に選択されたパラメータを記憶する選択パラメータ記憶部を有し、
前記表示部は、パラメータ入力窓を表示する時に、直前複数回で選択されたパラメータを同時に表示して成る
ことを第２の特徴としている。
【００１２】
コンテンツ配信サーバからコンテンツ情報を得るに際して必要なパラメータが存在する場合、直前複数回に入力したパラメータを表示部に表示させることで、同一のパラメータについては入力なしに選択することで必要なコンテンツ情報の表示が可能となる。
【００１３】
請求項３は、請求項１のコンテンツ表示装置において、
前記主装置における前記コンテンツ配信サーバからコンテンツ情報を得るに際して必要なパラメータ数がゼロである場合に、
前記電話端末は、前記主装置から送られてきたテキスト情報を内部に蓄積し、蓄積した情報を繰り返し自走形式で表示する機能を有して成る
ことを第３の特徴としている。
【００１４】
コンテンツ配信サーバからコンテンツ情報を得るに際して必要なパラメータ数がゼロである場合、パラメータの入力なしにコンテンツ情報の表示が可能となるので、ニュース情報等の表示に適している。
【００１５】
請求項４は、請求項３のコンテンツ表示装置において、
前記主装置は、一定間隔で前記コンテンツ配信サーバに対してテキスト情報の取得要求を行なう機能を有して成る
ことを第４の特徴としている。
【００１６】
請求項４は、パラメータ数がゼロである場合の適用例で、テキスト情報の取得要求を随時行なうことで、ニュース等の表示において更新された最新情報を表示させることができる。
【００１７】
請求項５は、コンテンツを表示するための表示部を有した少なくとも一つの電話端末を配下に備えた主装置と、該主装置にコンテンツ情報を配信するコンテンツ配信サーバとを有し、コンテンツ配信サーバがＷＥＢサーバから得たコンテンツ情報を電話端末の表示部に表示するコンテンツ表示方法であって、
前記主装置は、前記コンテンツ配信サーバの所在と該コンテンツ配信サーバからコンテンツ情報を得るに際して必要なパラメータ数（パラメータがゼロである場合も含む）をコンテンツ要求情報として記憶する一方、
コンテンツ情報を要求する電話端末において、コンテンツ目次を選択し、選択されたコンテンツ目次の情報を得るに際して必要なパラメータを順次入力し、コンテンツ情報を得るに際して必要なパラメータが全て入力された場合（パラメータがゼロである場合は入力パラメータはなし）に、
主装置において記録された前記選択されたコンテンツ目次及び必要なパラメータ全てが確定したコンテンツ要求情報をコンテンツ配信サーバへ出力し、
前記コンテンツ要求情報を受けたコンテンツ配信サーバがＷＥＢサーバから得たコンテンツ情報をテキスト情報に変換し、主装置を介してコンテンツ情報を要求した電話端末の表示部に表示する
ことを第５の特徴としている。
【発明の効果】
【００１８】
第１の特徴を有する本発明によれば、インターネット上の情報提供サーバから提供されるリアルタイムな情報をコンテンツ配信サーバのコンテンツ変換部においてテキスト情報に変換し、主装置を介して電話端末の表示部に表示することができる。
その際に、前記テキスト情報を配信するコンテンツ配信サーバの所在と該コンテンツ配信サーバからコンテンツ情報を得るに際して必要なパラメータ数（パラメータがゼロである場合も含む）をコンテンツ要求情報として記憶し、パラメータの全てが確定した時にコンテンツ配信サーバ側へ主装置からのアクセス（テキスト情報の取得要求）が行われることで、パラメータの入力毎にコンテンツ配信サーバ及びＷＥＢサーバにアクセスする場合に比較して、主装置における通信負担を軽くし、電話端末への情報表示の応答性を良好とするとともに、主装置の構造を簡易化することができる。
また、表示部に表示される複数のコンテンツ目次やパラメータ入力窓に対応して電話端末側に設けられたボタン部を操作することで、ユーザが取得したい詳細情報を選択するので、コンテンツ情報を表示部に表示させるに際しての操作性を良好とすることができる。
【００１９】
第２の特徴を有する本発明によれば、直前複数回に入力したパラメータを表示部に表示させることで、表示されたパラメータと同一のパラメータについては入力なしに対応するボタン部を押下することで必要なコンテンツ情報の表示が可能となり、コンテンツ表示に際しての操作性を良好とすることができる。
【００２０】
第３の特徴を有する本発明によれば、蓄積したテキスト情報を繰り返し自走形式でスクロール表示することで、配信された情報量が多いものであっても表示部にその内容をスクロールして表示させることができる。
【００２１】
第４の特徴を有する本発明によれば、表示部においてニュースなどを表示する場合に、自動的に更新された情報（リアルタイムな情報）が電話端末側に随時配信可能となる。
【００２２】
第５の特徴を有する本発明方法によれば、ＷＥＢサーバからの情報をコンテンツ配信サーバでテキスト情報に変換して主装置を介して電話端末の表示部に表示させる場合に、コンテンツ情報の取得に必要なパラメータ全てが確定した場合に主装置からコンテンツ要求情報をコンテンツ配信サーバへ出力してコンテンツ情報の配信を受けるので、主装置がコンテンツ配信サーバとセッションを占有する時間を短縮できるため、複数の電話端末がアクセスした場合でも、セッション確立の輻輳を回避することができ、情報を送受信する場合の信頼性の向上を図ることができる。
【発明を実施するための最良の形態】
【００２３】
以下、本発明のコンテンツ表示装置の実施の形態の一例について、図１及び図２を参照しながら説明する。図１は本発明のコンテンツ表示装置の全体の構成を示すブロック図であり、図２はＩＰ電話機の表示部を示す平面説明図である。
【００２４】
コンテンツ表示装置は、端末装置として使用される複数のＩＰ電話機（電話端末）１０と、各ＩＰ電話機１０と公衆網等の外部通信網との間及びＩＰ電話機相互間を交換接続するための主装置２０と、この主装置２０にコンテンツ情報を配信するコンテンツ配信サーバ３０を有して構成されている。
主装置２０はコンテンツ配信サーバ３０に接続され、このコンテンツ配信サーバ３０はインターネットを介してコンテンツ情報を提供するＷＥＢサーバ４０に接続される。予めＩＰ電話機側に表示可能な情報の種類（天気情報、フライト情報、ニュース情報）は決められており、接続先であるＷＥＢサーバ４０の所在等の情報については主装置２０に記憶されている。
ＷＥＢサーバ４０は、主装置２０及びコンテンツ配信サーバ３０を介して到来した要求信号に応じてリアルタイムなコンテンツ情報を要求元に対しインターネットを介して提供するようになっている。
【００２５】
主装置２０は、各ＩＰ電話機１０からの要求によりコンテンツ情報を配信するモード、全てのＩＰ電話機１０に対して同じコンテンツ情報を配信するモードを備えている。モードの設定は、主装置２０の初期設定で行われる。
主装置２０とＩＰ電話機１０の間のデータ通信は、例えばＴＣＰ／ＩＰを用いた従来の伝送方式で行われる。
また、主装置２０とコンテンツ配信サーバ３０の間のデータ通信は、例えばＨＴＴＰを用いて行われる。
【００２６】
主装置２０は、内線を介して複数のＩＰ電話機１０を収容し、発着信に応じてＩＰ電話機１０相互間及びこれらＩＰ電話機１０と公衆網（図示せず）の加入者線との間を交換接続する機能を基本機能とするとともに、ＩＰ電話機１０及びコンテンツ配信サーバ３０との間で情報交換が可能に構成されている。
【００２７】
ＩＰ電話機１０には、主装置２０から配信された情報を表示するために、図２に示すような液晶ディスプレイで構成された表示部１１が設けられている。表示部１１の下方位置には、「１」「２」「３」「４」「５」「６」「７」「８」「９」「＊」「０」「＃」が４行×３列で配列されたプッシュ式のダイヤルキーが設置されている。また、ＩＰ電話機１０に設けた入力切替ボタン（図示せず）を押すことで、携帯電話機で実現されているように、ダイヤルキーからＡ〜Ｚのアルファベット文字が入力できるようになっている。
表示部１１は、複数行を表示可能にするとともに、表示する情報の種類により、各行において左右に分割してそれぞれ別データが表示できるようになっている。
ＩＰ電話機１０側には、コンテンツ情報を表示部１１に表示させるためのメニュー切替ボタン（図示せず）が設けられ、通常の電話通信モードと情報表示モードとに切り替えるようになっている。
【００２８】
表示部１１に表示された各行に対しては、その両側位置に左ボタン部１２、右ボタン部１３が設けられている。これらの左ボタン部１２及び右ボタン部１３は、表示部１１の開始画面（初期表示画面）において、表示部１１に表示されたコンテンツ目次や後述するコンテンツ情報を得るためのパラメータ入力窓に入力されたパラメータを選択する（確定させる）操作ボタンとなっており、これら操作ボタンのいずれかを操作することでその選択情報が主装置２０に出力され、主装置２０側に記憶するように構成されている。
このような構成により、表示部１１の開始画面に複数のコンテンツ目次を表示させ、左ボタン部１２、右ボタン部１３でコンテンツの種別を選択し、コンテンツ情報を得るためのパラメータ入力を行うことで最終的に得たい情報が表示部１１に表示されるように構成されている。
【００２９】
例えば、ＩＰ電話機１０の表示部１１にニュース情報を表示する場合には、主装置２０から送られてきたテキスト情報を記憶部１８に蓄積し、蓄積した情報を繰り返し自走形式で表示するようになっている。表示部１１において自走形式で表示する場合の文字列の自走速度は、ＩＰ電話機１０側で変更可能に構成されている。
蓄積したテキスト情報を繰り返し自走形式で表示することで、情報量が多いものであっても表示部１１にその内容を表示させることができる。この表示方法は、ニュース情報等を表示する場合に適している。
【００３０】
また、ある情報を得るためにパラメータ入力が必要な場合は、順次左ボタン部１２又は右ボタン部１３でパラメータとなる条件を選択して絞り込むことで最終的に得たい情報を表示するようになっている。この場合、コンテンツ配信サーバ３０を介してＷＥＢサーバ４０からコンテンツ情報を得るに際して必要なパラメータ数（パラメータがゼロである場合も含む）は、テキスト情報を配信するコンテンツ配信サーバ３０の所在とともにコンテンツ要求情報として主装置２０に記憶され、パラメータの全てが確定した時にコンテンツ配信サーバ３０側へ主装置２０からのアクセス（テキスト情報の取得要求）が行われるようになっている。
【００３１】
すなわち、表示部１１に表示される複数のコンテンツ目次及びパラメータ入力窓に対応して電話端末側に設けられたボタン部１２，１３を操作することで、ユーザが取得したい詳細情報をクリックするような感覚で容易に選択操作することが可能となる。
また、表示部１１において、データを左右に分割表示し対応するボタン部を設けることで、画面に多数のコンテンツ目次を表示でき、選択できる情報の種類が増加することから使い勝手の向上を図ることができる。
表示部１１において表示されるテキスト情報の表示方法の詳細については後述する。
【００３２】
また、上述の例において、左ボタン部１２及び右ボタン部１３の形状は方形状としたが、各行に対応して配置できる形状であればよく、円形等であっても良い。
【００３３】
主装置２０は、ＩＰ電話機１０側との情報交換を行う伝送制御部２１と、コンテンツ配信サーバ３０側との情報交換を行うコンテンツ表示制御部２２と、コンテンツ配信サーバ３０側との間の情報交換に必要な情報を記憶する記憶部２３と、装置全体の制御を行う制御部２４を備えて構成されている。
コンテンツ表示制御部２２は、コンテンツ配信サーバ３０との間でＨＴＴＰを用いてコンテンツ取得及びコンテンツ配信の情報を交換するＨＴＴＰクライアント２２１と、ＩＰ電話機１０側からのコンテンツ取得要求を受けコンテンツ配信サーバ３０に対してコンテンツ取得要求を行うコンテンツ取得要求部２２２と、コンテンツ配信サーバ３０から取得したテキスト情報に変換されたコンテンツ情報を各ＩＰ電話機１０の表示部１１に対して適した表示となるように編集するコンテンツ編集部２２３とを有している。
【００３４】
また、コンテンツ編集部２２３では、コンテンツ配信サーバ３０から取得したテキスト情報について、主装置２０の配下の複数のＩＰ電話機１０における表示部１１へ表示するためのデータにフォーマットする編集処理が行なわれる。
フォーマットされて得られるデータの詳細は後述する。
【００３５】
伝送制御部２１は、どのＩＰ電話機１０からのコンテンツ取得要求であるかを解析し、コンテンツ表示制御部２２のコンテンツ取得要求部２２２へ出力するキー解析部２１１と、コンテンツ表示制御部２２のコンテンツ編集部２２３で編集された各ＩＰ電話機１０の表示部１１に適したコンテンツ情報をコンテンツ取得要求があったＩＰ電話機１０へ配信する表示制御部２１２とを有している。表示制御部２１２では、ＷＥＢサーバ４０にアクセスするのに必要なパラメータを受け付けるための画面表示をコンテンツ取得要求があったＩＰ電話機１０に指示する。
【００３６】
主装置２０の記憶部２３は、テキスト情報を配信するコンテンツ配信サーバ３０の所在についてIPアドレス又はドメイン名で記憶するとともに、このコンテンツ配信サーバ３０を介してＷＥＢサーバ４０からコンテンツ情報を得るに際して必要なパラメータ数（パラメータがゼロである場合も含む）をコンテンツ要求情報として記憶している。また、コンテンツ情報を配信するＷＥＢサーバ４０へアクセスするためのＵＲＩも記憶されている。
そして、ＩＰ電話機１０からコンテンツ取得要求があった場合、記憶部２３に記憶されたコンテンツ情報を得るに際して必要なパラメータ数に応じて制御部２４がＩＰ電話機１０から必要なパラメータが全て入力済であるかを判断し、要求されたコンテンツ内容を配信可能なＷＥＢサーバ４０へアクセスするためのＵＲＩをコンテンツ配信サーバ３０へ通知にする。
【００３７】
また、コンテンツ取得要求を受けた主装置２０は、表示部に表示するコンテンツ情報の種類によって、一定間隔毎に自動的にコンテンツ配信サーバ３０のＨＴＴＰサーバ３３に対してテキスト情報の取得要求を行ない、最新情報（リアルタイムな情報）をＩＰ電話機１０側に配信できるようになっている。
【００３８】
コンテンツ配信サーバ３０は、インターネット上又はＬＡＮ上のＷＥＢサーバ４０から各種情報の配信を受けるもので、ＷＥＢサーバ４０との間でＨＴＴＰを用いて情報交換するＨＴＴＰクライアント部３１と、このＨＴＴＰクライアント部３１を介してＷＥＢサーバ４０から受信したコンテンツ情報を変換するためのコンテンツ変換部３２と、主装置との間でＨＴＴＰを用いて情報交換するＨＴＴＰサーバ部３３を備えている。
ＨＴＴＰサーバ部３３は、コンテンツ情報を得るに際して必要なパラメータ数がＩＰ電話機１０から全て入力された時に、要求されたコンテンツ内容を配信可能なＷＥＢサーバ４０へアクセスするためのＵＲＩ等を含むコンテンツ要求情報を主装置２０から受け取る。
ＨＴＴＰクライアント部３１は、主装置２０からのコンテンツ要求情報を受け、主装置２０が通知したＵＲＩ情報からＷＥＢアドレス情報を抜き出し、そのアドレスのＷＥＢサーバ４０にアクセスするとともに、ＷＥＢサーバ４０からコンテンツ情報を得るものである。
【００３９】
コンテンツ変換部３２は、ＷＥＢサーバ４０から受信したコンテンツ情報を、主装置２０及びＩＰ電話機１０が解釈できる書式であるテキスト情報への変換を行うものである。
すなわち、ＨＴＴＰクライアント部３１が主装置２０からの取得要求の送出に対し、ＷＥＢサーバ４０からインターネットを介して送られたコンテンツ情報を受信しコンテンツ変換部３２へ送出する。
【００４０】
コンテンツ変換部３２では、ＨＴＴＰクライアント部３１により受信されたニュース情報からテキスト情報のみを切り出し、ＩＰ電話機１０の表示部１１に表示可能なテキストデータとする。変換に際しては、例えば取得したニュース情報から必要となるタイトル部分及びニュース本体部分の文字情報のみを抽出し、本体部分に含まれる改行コードを削除することで、文字情報が連続するデータとする。テキスト情報への変換に際しては、改行コードをスペースに置き換える処理を行ってもよい。
ＨＴＴＰサーバ部３３は、コンテンツ変換部３２で変換したテキスト情報を主装置２０への配信を行うものである。配信されたテキスト情報は、主装置２０を介してＩＰ電話機１０に配信され、ＩＰ電話機１０の記憶部１８に記憶される。
【００４１】
次に、表示部１１におけるテキスト情報の表示方法の詳細について図３乃至図６を参照しながら説明する。
表示部１１の初期表示画面は、図３（ａ）に示すように、最上段に日付及び時間が表示され、２段目に「Favorite Menu（お気に入りメニュー）」の文字が表示され、その下段に、左右に分割されたコンテンツ目次が最大で１０個表示できるようになっている。この例では左側１段目にWeather（天気情報）、左側２段目にFlight（フライト情報）、右側１段目にTicker（ニュース情報）の文字が表示されている。
【００４２】
この状態でWeather（天気情報）の左側に位置する左ボタン部１２ａを押すと、（１）選択例１に表示した画面１４が現れる（図３（ｂ））。
この画面１４では、左側１段目にZip（郵便番号）、左側２段目にCity（都市名）が表示され、Zip（郵便番号）とCity（都市名）の選択を左ボタン１２ａ又は左ボタン部１２ｂで行った後に、対応する右側のセルにはダイヤルキーから数字が入力できるようになっている。
【００４３】
また、図３（ａ）の初期表示画面において、Flight（フライト情報）の左側に位置する左ボタン部１２ｂを押すと、（２）選択例２に表示した画面１５が現れる（図３（ｃ））。
この画面１５では、左側１段目にDate（日付）が表示され、Date（日付）の選択を左ボタン１２ａで行った後に、対応する右側のセルにはダイヤルキーから数字(YYYY,MM.DD)が入力できるようになっている。
【００４４】
また、図３（ａ）の初期表示画面において、Ticker（ニュース情報）の右側に位置する右ボタン部１３ａを押すと、（３）スクロール表示例に表示した画面１６が現れる（図３（ｄ））。この画面１６では、画面１６の１行目のみを使用し、ＩＰ電話機１０の記憶部１８に蓄積されたテキスト情報を繰り返し自走形式で表示するようになっている。
【００４５】
図３（ａ）〜（ｄ）の表示部１１における各画面の右側の最下位置にはExitの文字が表示され、対応するボタン部１３ｚを押すことで初期表示画面に戻るようになっている。
【００４６】
続いて、天気情報を得るための画面１４（図３（ｂ））において、Zip（郵便番号）又はCity（都市名）の選択を左ボタン部１２ａ又は左ボタン部１２ｂで行った後のダイヤルキーによるパラメータの入力例について図４を参照して説明する。
画面１４（図３（ｂ））において、左ボタン１２ａを押してZip（郵便番号）の入力を選択すると、表示部１１に郵便番号入力画面１４１が表示される（図４（ａ））。郵便番号入力画面１４１の左側上のセルに対応する左ボタン部１２ａを押した後、図４（ａ）に示すように、セル内にカーソルが表示されてこの部分がパラメータ入力窓ｘとなり、順次ダイヤルキーを押すことで数字を入力する（この例では「７５０６３」を入力）。入力完了後に、「Enter」に対応する右ボタン部１３ａを押すことで、表示部１１に天気情報画面１４３が表示される（図４（ｃ））。
【００４７】
天気情報画面１４３では、Fair（天気情報）、温度情報、湿度情報が表示され、Fair（天気情報）の横の左ボタン部１２ｂを押すことで、図５に示した最終画面である天気解説画面１４４が表示される。天気解説画面１４４では、天気の解説が最大１０，０００以内の文字数で表示される。画面内に収まらない場合は、「次ページ」表示に対応する右ボタン部１３ｙを押すことで続きの文章が表示される。また、「前ページ」表示に対応する左ボタン部１２ｙを押すことで一つ前のフレームの文章が表示される。表示を終了させたい場合には右ボタン部１３ｚを押す。
【００４８】
画面１４（図３（ｂ））において、左ボタン１２ｂを押してCity（都市名）の入力を選択すると、表示部１１に都市選択画面１４２が表示される（図４（ｂ））。左ボタン部１２ｂを押すことでパラメータ入力窓ｘに文字が入力可能となり、都市名を入力して表示させた状態で右ボタン部１３ｂを押すことで、表示部１１に郵便番号入力時と同様の天気情報画面１４３が表示される（図４（ｃ））。
【００４９】
次に、フライト情報を得るための画面１５（図３（ｃ））において、Date（日付）の選択を左ボタン部１２ａで行った後のダイヤルキーによるパラメータの入力例について、図６を参照しながら説明する。
画面１５（図３（ｃ））において、Date（日付）の選択を左ボタン部１２ａを押下すると、表示部１１に日付選択画面１５１が表示される（図６）。
日付選択画面１５１の左側上のセルに対応する左ボタン部１２ａを押した後、図６に示すように、セル内にカーソルが表示されてこの部分がパラメータ入力窓ｘとなり、順次ダイヤルキーを押すことで数字を入力する（この例では「２００８０７２５」を入力）。入力完了後に、「Enter」に対応する右ボタン部１３ａを押すことで、表示部１１に出発・到着情報画面１５２が表示される（図７）。
出発・到着情報画面１５２は表示部の最上部の左右位置に、それぞれDep.（出発）Arr.（到着）が表示され、Dep.（出発）に対応する左ボタン部１２ａを押下すると、図８に示すような便名・空港選択画面１５３が表示され、左側１段目にNumber（便名）、左側２段目にFrom／To（出発都市／到着都市）が表示され、Number（便名）とFrom／To（出発都市／到着都市）の選択を左ボタン１２ａ又は左ボタン部１２ｂで行うようになっている。
便名・空港選択画面１５３（図８）において、左ボタン１２ａを押下してNumber（便名）の入力を選択すると、表示部１１に便名入力画面１５４が表示される（図９（ａ））。
便名入力画面１５４の左側上のセルに対応する左ボタン部１２ａを押下するとカーソルが表示されたパラメータ入力窓ｘが現れ、図９（ａ）に示すように、順次ダイヤルキーを押すことで数字を入力する（この例では「ＡＡ０６０」を入力）。
入力完了後に、「Enter」に対応する右ボタン部１３ａを押すことで、表示部１１にフライト情報画面１５５が表示される（図９（ｃ））。
フライト情報画面１５５では、AA060（便名）、出発都市、出発日時、搭乗ゲートの各情報が表示される。
【００５０】
便名・空港選択画面１５３（図８）において、左ボタン１２ｂを押下してFrom／To（出発都市／到着都市）の入力を選択すると、表示部１１に出発都市入力画面１５６が表示される（図９（ｂ））。
出発都市入力画面１５６の左側上のセルに対応する左ボタン部１２ａを押下した後、図８（ｂ）に示すように、順次ダイヤルキーを押すことで出発都市名（アルファベット３文字）を入力する（この例では「ＮＲＴ」（成田）を入力）。
入力完了後に、「Enter」が表示されるセルに対応する右ボタン部１３ａを押下することで、表示部１１に到着都市入力画面１５７が表示される（図９（ｂ））。
到着都市入力画面１５７の最上位置のセルには出発都市名（「From」「ＮＲＴ」）が表示され、到着都市入力画面１５７の左側２段目のセルに対応する左ボタン部１２ｂを押下した後、図９（ｂ）に示すように、順次ダイヤルキーを押すことで到着都市名（アルファベット３文字）を入力する（この例では「ＤＦＷ」（ダラス）を入力）。
入力完了後に、「Enter」に対応する右ボタン部１３ｂを押下することで、表示部１１に出発都市到着都市確定画面１５８が表示される（図９（ｂ））。
出発都市及び到着都市が正しければ、この状態で「Enter」に対応する右ボタン部１３ｂを押すことで、表示部１１にフライト情報画面１５５が表示される（図９（ｃ））。
フライト情報画面１５５では、Number（便名）検索と同様に、便名、出発都市、出発日時、搭乗ゲートの各情報が表示されるが、複数の便が存在する場合には、順次切り替えることで表示される。
【００５１】
また、パラメータ入力窓ｘが表示される際に、同一画面表示時における直前複数回にパラメータとして入力された文字が表示部の空いているセル部分に表示するようにしてもよい。この場合、直前複数回に入力して選択されたパラメータは主装置２０の記憶部２３内の選択パラメータ記憶部に記憶する。
例えば、図９（ｂ）の出発都市入力画面１５６において、パラメータ入力窓ｘが表示された場合に、その下方位置に、直前４回のパラメータとして入力した「ＮＲＴ」「ＮＧＯ」「ＳＰＫ」「ＯＫＡ」が自動的に表示される。自動的に表示された都市を選択する場合には、その横に位置する左ボタン部１２ｂ，１２ｃ，１２ｄ，１２ｅを押下することで、都市名を入力することなくパラメータを指定することができる。その結果、表示されたパラメータと同一のパラメータについては入力なしに選択することで必要なコンテンツ情報の表示が可能となり、コンテンツ表示に際しての操作性を良好とすることができる。
【００５２】
次に、ＩＰ電話機１０における上述した情報表示の手順について、図１０のフローチャートを参照して説明する。
ＩＰ電話機１０のメニュー切替ボタンの押下により表示部１１にコンテンツ情報が表示できるモードに設定する（ステップ１０１）。
表示部１１に表示されたメニュー（例えば、Weather，Flight，Newsの情報）から必要な情報を左ボタン部１２又は右ボタン部１３により選択する（ステップ１０２）。
【００５３】
主装置２０では、選択されたコンテンツ情報を得るために必要なパラメータの数を記憶部部２３から認識（パラメータがゼロの場合は、パラメータが全て入力済と判断）する。
そして、全てのパラメータが入力が完了したかどうかを判断し（ステップ１０３）、完了しない場合は、表示部におけるパラメータの入力（ステップ１０４）、パラメータ入力窓の画面表示（ステップ１０５）を繰り返す。
例えば、上述した例のフライト情報を得る場合にはでは、「日付」「出発又は到着」「出発都市名」「到着都市名」がパラメータとなる。
【００５４】
パラメータが全て入力された場合、主装置１０はパラメータの情報とともに、記憶部２３に記憶しているコンテンツ配信サーバ３０の所在に対して情報を配信し、ＷＥＢサーバ４０からコンテンツ情報を得て、表示部１１にコンテンツ情報を表示する場合の画面表示方式について選択する（ステップ１０６）。すなわち、複数のパラメータを入力してコンテンツ情報を表示する場合は、表示が固定される固定形式の画面表示となり（ステップ１０７）、ニュースなどをＩＰ電話機１０側の記憶部１８に記憶して、エンドレスに表示する場合には、自走形式の画面表示とする（ステップ１０８）。
【００５５】
次に、主装置２０のコンテンツ編集部２２３にけるテキスト情報のフォーマットについて、図１１乃至図１３を参照しながら説明する。
フォーマットされて得られるデータは、図１１の左側に示されるように、表示部１１に表示される１行目の情報、２行目の情報、…、ｍ行目の情報の順に構成されている。表示部１１では左右に分割表示されるので、各行目の情報については、図１１の中央に示されるように、画面左側の情報と、画面右側の情報から構成される。
そして、各画面の情報は、図１１の右側に示されるように、それぞれ、どのボタン部に対応するセルであるのかを示す「ボタン位置情報」、セル内に表示される文字となる「表示文字情報」、ボタン部を押す若しくダイヤルキーからの数字や文字の入力を伴うか否かを示す「パラメータ有無」、「アクセス先ＵＲＩ」、パラメータの入力により次画面の表示が必要かどうかの情報となる「次画面テーブルの有無」の各情報が含まれている。
【００５６】
ボタン位置情報は、左側の場合、上段から下段に向かって１〜ｍとなり、右側の場合、上段から下段に向かってｍ＋１〜ｎとなる。
「パラメータ有無」は「０」が無しを、「０」でない場合は有りを意味し、１以上の数字はパラメータ数を示している。
また、「パラメータ無」の場合の「アクセス先ＵＲＩ」は、ＷＥＢサーバ４０のホームページアドレス（http://www.aaa.co.jp/）となり、「パラメータが一つのアクセス先ＵＲＩ」は、ホームページアドレスより階層が一つ下のアドレス（http://www.aaa.co.jp/~html）としている。
【００５７】
したがって、上記の定義によりフォーマットを行った場合、例えば、図３（ａ）の表示部１１の１行目の左右に表示されたセルに対応するデータは、図１２のようになり、図３（ｂ）の表示部１１の画面１４の１行目の左右に表示されたセルに対応するデータは、図１３のようになる。
【００５８】
次に、本発明のコンテンツ表示装置によりＩＰ電話機１０の表示部１１にコンテンツ情報を表示させる手順について、図１のブロック図、図３の初期表示画面、図１４〜図１６のシーケンスチャートを参照しながら説明する。
ＩＰ電話機１０の表示部１１にコンテンツ情報を表示させる種類としては、（１）全てのＩＰ電話機１０に対して一斉に同じコンテンツ情報を配信する場合と、（２）個別のＩＰ電話機１０から取得要求を行う場合とがあり、更に（２）については、（２ａ）個別のＩＰ電話機１０から取得要求のみを行ってコンテンツ情報を得る場合と、（２ｂ）ボタン部若しくはダイヤルキーの操作（パラメータの入力）により必要な情報の取得要求を行う場合とがある。
【００５９】
先ず上記（１）の全てのＩＰ電話機１０に対して一斉に同じコンテンツ情報を配信する場合について、図１４を参照しながら説明する。この場合、主装置２０のモード設定において、全てのＩＰ電話機１０に対して同じコンテンツ情報を配信するモードが初期のデータ設定で選択されている。
このデータ設定では、例えば、一定時間毎に主装置２０からコンテンツ配信サーバ３０に情報獲得依頼（ステップ５０１）が送信され、これを受けたコンテンツ配信サーバ３０が予め設定されている情報供給先であるＷＥＢサーバ４０にアクセスし（ステップ５０２）、コンテンツ情報を得る（ステップ５０３）。
コンテンツ配信サーバ３０では、コンテンツ情報を主装置２０及びＩＰ電話機１０で解釈可能なテキスト情報に変換する処理が行われ、変換されたテキスト情報を主装置２０に配信する（ステップ５０４）。
主装置２０では、テキスト情報をＩＰ電話機１０の表示部１１に表示するに適したデータにフォーマットした後にこのデータを複数のＩＰ電話機１０にそれぞれ配信する（ステップ５０５）。
ＩＰ電話機１０の表示部１１では、配信されたデータを記憶部１８に記憶し、表示部１１において１行目のみを使用し、ＩＰ電話機１０の記憶部１８に蓄積されたテキスト情報を繰り返し自走形式で表示する。
【００６０】
次に、上記（２ａ）の取得要求のみを行うコンテンツ情報の配信について、図１５を参照しながら説明する。
この場合、ＩＰ電話機１０を使用するユーザが図３の表示部１１の初期表示画面（図３（ａ））において、右ボタン部１３ａを操作する（押下する）ことで、対応するキー情報（この場合では、「Ticker」選択によるニュース情報の要求）の通知がＩＰ電話機１０から主装置２０になされる（ステップ５１１）。
この通知を受けた主装置２０は、コンテンツ配信サーバ３０へ情報獲得依頼（ステップ５１２）を送信し、これを受けたコンテンツ配信サーバ３０が情報獲得依頼に含まれている情報要求先のＷＥＢサーバ４０にアクセスし（ステップ５１３）、コンテンツ情報を得る（ステップ５１４）。
コンテンツ配信サーバ３０では、コンテンツ情報を主装置２０及びＩＰ電話機１０で解釈可能なテキスト情報に変換する処理が行われ、変換されたテキスト情報を主装置２０に配信する（ステップ５１５）。
主装置２０では、テキスト情報をＩＰ電話機１０の表示部１１に表示するに適したデータにフォーマットした後にこのデータを取得要求が発せられたＩＰ電話機１０に配信する（ステップ５１６）。
ＩＰ電話機１０の表示部１１では、配信されたデータを記憶部１８に記憶し、表示部１１において１行目のみを使用し、ＩＰ電話機１０の記憶部１８に蓄積されたテキスト情報を繰り返し自走形式で表示する。
【００６１】
次に、上記（２ｂ）のボタン部の操作（パラメータの入力）により必要な情報の取得要求を行う場合におけるコンテンツ情報の配信について、図１６を参照しながら説明する。
この場合、ＩＰ電話機１０を使用するユーザが図３の表示部１１の初期表示画面（図３（ａ））において、左ボタン部１２ａを操作（押下）することで、対応するキー情報（この場合では、「Weather」選択による天気情報の要求）の通知（キー番号通知）がＩＰ電話機１０から主装置２０になされる（ステップ５２１）。
主装置２０では、ボタン押下（キー番号）通知を受け、要求されたコンテンツ情報に必要なパラメータの数を記憶部２３から認識し、パラメータ入力が必要な場合はパラメータ入力のためのパラメータ入力窓を表示させるディスプレイ情報通知（ステップ５２２）を送信する。
これに対してＩＰ電話機１０側ではパラメータ入力窓にパラメータを入力する。
【００６２】
すなわち、ＩＰ電話機１０の表示部１１では、図３（ａ）Weather（天気情報）の左側に位置する左ボタン部１２ａが押下されたことで、図３（ｂ）の選択例（１）に表示した画面１４が現れる。この画面１４では、左側１段目にZip（郵便番号）、左側２段目にCity（都市名）が表示され、Zip（郵便番号）とCity（都市名）の選択を左ボタン部１２ａ又は左ボタン部１２ｂの押下や、パラメータ入力窓へダイヤルキーから数字や文字（パラメータ）が入力・確定され、この動作が繰り返されて、全てのパラメータの入力が完了した場合に、キー情報に関する通知がＩＰ電話機１０から主装置２０になされる（ステップ５２７）。
この通知を受けた主装置２０は、コンテンツ配信サーバ３０へパラメータの情報が含まれたコンテンツ要求情報を送信して情報獲得依頼（ステップ５２８）を行い、これを受けたコンテンツ配信サーバ３０が情報獲得依頼に含まれている情報要求先のＷＥＢサーバ４０にアクセスし（ステップ５２９）、表示部１１に表示するためのコンテンツ情報を得る（ステップ５３０）。
コンテンツ配信サーバ３０では、コンテンツ情報を主装置２０及びＩＰ電話機１０で解釈可能なテキスト情報に変換する処理が行われ、変換されたテキスト情報を主装置２０に配信する（ステップ５３１）。
主装置２０では、テキスト情報をＩＰ電話機１０の表示部１１に表示するに適したデータにフォーマットした後にこのデータを取得要求が発せられたＩＰ電話機１０に配信する（ステップ５３２）。
【００６３】
次に、本発明のコンテンツ表示装置によりＩＰ電話機１０の表示部１１にコンテンツ情報を表示させる場合のＩＰ電話機１０、主装置２０、コンテンツ配信サーバ３０相互間における動作について、図１７のフローチャートを参照しながら説明する。
ＩＰ電話機１０を使用するユーザが図３の表示部１１の初期表示画面（図３（ａ））において、左ボタン部１２ａを操作（押下）することで（ステップ６０１）、対応するキー情報（この場合では、「Weather」選択による天気情報の要求）の通知（キー番号通知）がＩＰ電話機１０から主装置２０になされる（ステップ６０２）。
【００６４】
主装置２０では、ボタン押下（キー番号）通知を受け（ステップ６０３）、キー情報の解析を行う（ステップ６０４）。キー情報の解析で次画面表示を行うためのパラメータの入力が必要かどうかを判断し（ステップ６０５）、パラメータ入力が不要な場合はテキスト配信サーバ３０に対して情報獲得依頼（ページ要求）を行う（ステップ６０６）。
【００６５】
コンテンツ配信サーバ３０では、情報獲得依頼（ページ要求）により接続先のＵＲＩが通知され（ステップ６０７）、ＷＥＢサーバ４０にアクセスし（ステップ６０８）、コンテンツ情報を得てこれをテキスト情報に整形し（ステップ６０９）、変換されたテキスト情報を主装置２０にページ応答情報として配信する（ステップ６１０）。
【００６６】
主装置２０では、ページ応答情報としてテキスト情報を受信し（ステップ６１１）、ＩＰ電話機１０の表示部１１に表示するに適したデータにフォーマットし（ステップ６１２）、整形された文字列のデータを表示指示してＩＰ電話機１０に配信する（ステップ６１３）。
【００６７】
ＩＰ電話機１０の表示部１１では、表示指示された文字列のデータを受信し（ステップ６１４）、表示部の指定位置に表示する（ステップ６１５）。
【００６８】
主装置２０のステップ６０５において、キー情報の解析で次画面表示を行うためのパラメータの入力が必要である場合は、パラメータ入力のために表示部１１に表示される文字列データの表示を指示してＩＰ電話機１０に配信する（ステップ６１６）。
【００６９】
ＩＰ電話機１０の表示部１１では、パラメータ入力のため表示部１１に表示される文字列のデータを受信し（ステップ６１４）、表示部１１の指定位置に表示する（ステップ６１５）。
【００７０】
上述したコンテンツ表示装置によれば、インターネット上の情報提供サーバから提供されるリアルタイムな情報をＩＰ電話機１０の表示部１１に表示するに際して、ＷＥＢサーバ４０から提供されるコンテンツ情報のテキスト部分だけを表示することで、パーソナル・コンピュータのようなＷＥＢブラウジング専用のターミナルを不要とした簡易な構成で実現することができる。
また、ＩＰ電話機１０の表示部１１に表示されるテキスト表示の文字部分と、ボタン部１２，１３とを関連付けてパラメータの入力が行われることにより、あたかもマウスをクリックしてページジャンプするような動作を実現することができる。
【００７１】
本発明のコンテンツ配信装置によれば、インターネット上の情報提供サーバから提供されるリアルタイムな情報をコンテンツ配信サーバのコンテンツ変換部においてテキスト情報に変換し、主装置を介して電話端末の表示部に表示することができるので、パーソナル・コンピュータのような専用の装置を必要とすることなく、ＷＥＢサーバからの情報を簡易に得ることができる。
【００７２】
その際に、前記テキスト情報を配信するコンテンツ配信サーバの所在と該コンテンツ配信サーバからコンテンツ情報を得るに際して必要なパラメータ数（パラメータがゼロである場合も含む）をコンテンツ要求情報として記憶し、パラメータの全てが確定した時にコンテンツ配信サーバ側へ主装置からのアクセス（テキスト情報の取得要求）が行われることで、パラメータの入力毎にコンテンツ配信サーバ及びＷＥＢサーバにアクセスする場合に比較して、主装置における通信負担を軽くし、電話端末への情報表示の応答性を良好とするとともに、主装置の構造を簡易化することができる。
また、主装置がコンテンツ配信サーバとセッションを占有する時間を短縮できるため、複数の電話端末が同時にアクセスした場合でも、セッション確立の輻輳を回避することができ、コンテンツ配信サーバから情報を送受信する場合の信頼性の向上を図ることができる。
【００７３】
更に、表示部に表示される複数のコンテンツ目次やパラメータ入力窓に対応して電話端末側に設けられたボタン部を操作することで、ユーザが取得したい詳細情報を選択するので、情報を表示部に表示させるに際しての操作性を良好とすることができる。
【図面の簡単な説明】
【００７４】
【図１】本発明の一実施形態に係るコンテンツ表示装置の構成を示すブロック説明図である。
【図２】本発明のコンテンツ表示装置で使用されるＩＰ電話機の表示部周辺を示す平面説明図である。
【図３】（ａ）〜（ｄ）はＩＰ電話機の表示部における画面を説明するための平面説明図である。
【図４】（ａ）〜（ｃ）はＩＰ電話機の表示部における画面を説明するための平面説明図である。
【図５】ＩＰ電話機の表示部を示した平面説明図である。
【図６】ＩＰ電話機の表示部における画面を説明するための平面説明図である。
【図７】ＩＰ電話機の表示部における画面を説明するための平面説明図である。
【図８】ＩＰ電話機の表示部における画面を説明するための平面説明図である。
【図９】（ａ）〜（ｃ）はＩＰ電話機の表示部における画面を説明するための平面説明図である。
【図１０】ＩＰ電話機における操作手順を説明するためのフローチャート図である。
【図１１】ＩＰ電話機の表示部に表示される情報のフォーマット定義を説明するための説明図である。
【図１２】ＩＰ電話機の表示部に表示される情報のフォーマット定義を説明するための説明図である。
【図１３】ＩＰ電話機の表示部に表示される情報のフォーマット定義を説明するための説明図である。
【図１４】コンテンツ表示装置の動作を説明するためのシーケンスチャート図である。
【図１５】コンテンツ表示装置の動作を説明するためのシーケンスチャート図である。
【図１６】コンテンツ表示装置の動作を説明するためのシーケンスチャート図である。
【図１７】コンテンツ表示装置の動作を説明するためのフローチャート図である。
【符号の説明】
【００７５】
１０…ＩＰ電話機、  １１…表示部、  １２…左ボタン部、  １３…右ボタン部、  １８…記憶部、  ２０…主装置、  ２１…伝送制御部、  ２２…コンテンツ表示制御部、  ２３…記憶部、  ２４…制御部、  ３０…コンテンツ配信装置、  ３１…ＨＴＴＰクライアント、  ３２…コンテンツ変換部、  ３３…ＨＴＴＰサーバ、  ４０…ＷＥＢサーバ、  ２１１…キー解析御部、  ２１２…表示制御部、  ２２１…ＨＴＴＰクライアント、  ２２２…コンテンツ取得要求部、  ２２３…コンテンツ編集部。
【図１】
2010034835.tif 000003
【図２】
2010034835.tif 000004
【図３】
2010034835.tif 000005
【図４】
2010034835.tif 000006
【図５】
2010034835.tif 000007
【図６】
2010034835.tif 000008
【図７】
2010034835.tif 000009
【図８】
2010034835.tif 000010
【図９】
2010034835.tif 000011
【図１０】
2010034835.tif 000012
【図１１】
2010034835.tif 000013
【図１２】
2010034835.tif 000014
【図１３】
2010034835.tif 000015
【図１４】
2010034835.tif 000016
【図１５】
2010034835.tif 000017
【図１６】
2010034835.tif 000018
【図１７】
2010034835.tif 000019